(57)【要約】【課題】  境界線間際まで栽植を施して土地を有効に活用する。【解決手段】境界ブロック１は、縦長板状の表面部２および裏面部３と、表面部２および裏面部３と一体に接合された接続部４と、からなり、接続部４には、左右端面に上下方向にわたって凹部４ａが形成されるとともに、左右方向に貫通する貫通穴４ｂが形成されている。このため、境界線に沿って境界ブロック１を配置した際、各境界ブロック１の表面部２および裏面部３との間に、栽植を施すための客土３３を充填することができる。【選択図】  図５
2006166838.tif 000002
【特許請求の範囲】
【請求項１】
表面部および裏面部と、これらの表面部および裏面部と一体に接合された接続部と、からなり、接続部には、左右端面に上下方向にわたって凹部が形成されていることを特徴とする境界ブロック。
【請求項２】
前記接続部の上面に左右方向に延びるガイド溝が形成されていることを特徴とする請求項１記載の境界ブロック。
【請求項３】
境界線に沿って配置され、ベース板に複数本のボルトが設定間隔をおいて立設された複数枚の敷板と、対向する凹部によって形成された空間にボルトが位置するように、敷板に順に配置された請求項１または２記載の複数個の境界ブロックと、複数個の境界ブロックにおける接続部の上面にわたって配置され、敷板の各ボルトに取付穴が挿通されるとともに、ナットを介して締結された連結レールと、各境界ブロックの表面部内面および裏面部内面によって区画された空間に充填された客土と、から構成され、客土に栽植が施されたことを特徴とする境界ブロックを用いた境界構造。
【請求項４】
前記隣接する境界ブロックの対向する凹部によって形成された空間に複数本の支柱が設定間隔をおいて立設されていることを特徴とする請求項３記載の境界ブロックを用いた境界構造。
【請求項５】
境界線に沿って施工され、設定間隔をおいてアンカー鉄筋が植設された基礎コンクリートを有する基礎工と、対向する凹部によって形成された空間にアンカー鉄筋が位置するように、基礎コンクリートに順に配置された請求項１記載の複数個の境界ブロックと、隣接する境界ブロックの対向する凹部によって形成された空間に充填されたモルタルまたはコンクリートと、各境界ブロックの表面部内面および裏面部内面によって区画された空間に充填された客土と、から構成され、客土に栽植が施されたことを特徴とする境界ブロックを用いた境界構造。
【請求項６】
前記隣接する境界ブロックの対向する凹部によって形成された空間に複数本の支柱が設定間隔をおいて立設されていることを特徴とする請求項５記載の境界ブロックを用いた境界構造。
【発明の詳細な説明】
【技術分野】
【０００１】
本発明は、境界ブロック、特に、花壇などに利用可能な境界ブロックおよび境界ブロックを用いた境界構造に関するものである。
【背景技術】
【０００２】
従来、花壇や縁石などを形成する場合、境界線に沿って基礎工を施工した後、境界線に沿ってコンクリートブロックやレンガをモルタルで固定しながら積み上げて構築することが行われている。また、このようなモルタルを用いる湿式工法に対して、モルタルを用いることのない乾式工法で花壇や縁石などを形成することも提案されている。
【０００３】
例えば、特許文献１に記載されるように、鉄板にボルトを立設して形成された敷板を境界線に沿って敷設した後、敷板のボルトに境界ブロックの縦穴を挿通して敷板に複数個の境界ブロックを順に配置するとともに、ボルトにナットを締結して境界ブロックを敷板に対して固定し、次いで、ナットにボルトを締結した後、延長されたボルトに新たな境界ブロックの縦穴を挿通して先に配置された境界ブロックに新たな境界ブロックを順に積み重ねるとともに、ボルトにナットを締結して新たな境界ブロックを固定し、以下、同様に作業して花壇などの境界を形成するものである。
【特許文献１】特開２００１−６９８５１号公報
【発明の開示】
【発明が解決しようとする課題】
【０００４】
ところで、前述した境界ブロックによって花壇などの境界を形成するとともに、境界ブロックの内面によって区画された空間に客土を充填することにより、客土に栽植を施すことができる。しかしながら、境界ブロックは、全体が中実のブロック状に形成されていることから、境界ブロックそのものに客土を充填することはできない。このため、境界ブロックの天端面が露出し、見栄えが損なわれるとともに、境界ブロックの上面に相当する面積を栽植に利用することができず、土地を有効に活用できないという欠点があった。
【０００５】
なお、栽植を施すために箱状に形成された花壇ブロックも種々提案されており、これらの花壇ブロックを左右方向に延設して境界を形成することも知られているが、隣接する花壇ブロックとは無関係に花壇ブロックを左右方向に延設したにすぎないことから、境界線に沿って正確に位置決めして境界ブロックを配置することが困難である他、長期にわたって境界を維持することもできない。
【０００６】
本発明は、このような問題点に鑑みてなされたもので、境界線間際まで栽植を施して土地を有効に活用することができる境界ブロックを提供するとともに、境界ブロックを用いて乾式工法もしくは湿式工法にて境界を形成することができ、また、形成された境界を長期にわたって維持することができる境界構造を提供するものである。
【課題を解決するための手段】
【０００７】
本発明の境界ブロックは、表面部および裏面部と、これらの表面部および裏面部と一体に接合された接続部と、からなり、接続部には、左右端面に上下方向にわたって凹部が形成されていることを特徴とするものである。
【０００８】
本発明によれば、境界線に沿って複数個の境界ブロックを順に配置し、各境界ブロックの表面部内面および裏面部内面の間に客土を一定深さにわたって充填することができる。
【０００９】
この結果、境界ブロックに客土を充填して栽植を施すことが可能となり、境界線間際まで緑化して見栄えを損なうことなく土地を有効に活用することができる。
【００１０】
ここで、境界ブロックの表面部および裏面部を同一幅で同一高さに形成してもよく、また、表面部および裏面部を同一幅に形成するとともに、裏面部を表面部よりも低く形成してもよい。裏面部が表面部よりも低い境界ブロックを利用して境界を形成した場合、各境界ブロックの表面部内面および裏面部内面によって形成される空間に加えて、表面部の高さ範囲内において、境界ブロックの裏面部を埋設するように、境界ブロックの裏面部外面によって区画された空間にも客土を充填することができる。この場合には、境界ブロックの裏面部を客土によって覆うことができ、境界ブロックの露出を最小限に抑えることができる。
【００１１】
また、接続部の下面は、その上面を一定高さ位置に設定したときにおいて、表面部および裏面部の下面と同一位置に形成してもよく、また、表面部および裏面部の下面よりも高い位置に形成してもよい。接続部の下面を表面部および裏面部の下面と同一位置に形成した場合は、重量軽減のため、左右方向に貫通する貫通穴を形成することが好ましい。
【００１２】
本発明において、前記接続部の上面に左右方向に延びるガイド溝が形成されていると、このガイド溝を隣接する境界ブロックの位置決めに利用することが可能となり、好ましい。
【００１３】
本発明の境界ブロックを用いた境界構造は、境界線に沿って配置され、ベース板に複数本のボルトが設定間隔をおいて立設された複数枚の敷板と、対向する凹部によって形成された空間にボルトが位置するように、敷板に順に配置された請求項１または２記載の複数個の境界ブロックと、複数個の境界ブロックにおける接続部の上面にわたって配置され、敷板の各ボルトに取付穴が挿通されるとともに、ナットを介して締結された連結レールと、各境界ブロックの表面部内面および裏面部内面によって区画された空間に充填された客土と、から構成され、客土に栽植が施されたことを特徴とするものである。
【００１４】
本発明によれば、境界線に沿って敷板を敷設した後、敷板に境界ブロックを順に配置し、境界ブロックの接続部の上面にわたって連結レールを配置する。次いで、連結レールの取付穴を、隣接する境界ブロックにおける接続部の凹部によって形成される空間から突出する敷板のボルトに挿通させた後、ボルトにナットを締結し、敷板のベース板に対して境界ブロックを固定する。境界ブロックを固定したならば、各境界ブロックの表面部内面および裏面部内面によって区画された空間に客土を充填した後、客土に栽植を施す。
【００１５】
この際、充填された客土を転圧すれば、隣接する境界ブロックの対向する凹部によって形成された空間にも客土が充填されることから、栽植された植物の根が縦横にのびやすくなり、好ましい。
【００１６】
この結果、栽植を施した境界ブロックによる境界を乾式工法によって簡単に、かつ、短時間に形成することができる。また、各境界ブロックは、敷板に対してボルトナットを介して固定されているため、長期にわたって境界を維持することができる。
【００１７】
なお、境界線に沿って地面を掘削し、クラッシャランを敷き詰めた後、敷板を敷設してもよく、また、地面を掘削することなく舗装面や地面に敷板を直接敷設してもよい。地面を掘削したときには、土砂を埋め戻して敷板を覆うことが好ましい。
【００１８】
本発明において、前記隣接する境界ブロックの対向する凹部によって形成された空間に複数本の支柱が設定間隔をおいて立設されていると、境界ブロックに建て込まれた支柱を利用して境界線上にフェンスなどを設けることが可能となり、好ましい。
【００１９】
支柱を立設するには、隣接する境界ブロックの対向する凹部によって形成された空間のうち、ボルトの存在しない空間を適宜選択して支柱を差し込み、モルタルまたはコンクリートで固定すればよい。
【００２０】
本発明の境界ブロックを用いた境界構造は、境界線に沿って施工され、設定間隔をおいてアンカー鉄筋が植設された基礎コンクリートを有する基礎工と、対向する凹部によって形成された空間にアンカー鉄筋が位置するように、基礎コンクリートに順に配置された請求項１記載の複数個の境界ブロックと、隣接する境界ブロックの対向する凹部によって形成された空間に充填されたモルタルまたはコンクリートと、各境界ブロックの表面部内面および裏面部内面によって区画された空間に充填された客土と、から構成され、客土に栽植が施されたことを特徴とするものである。
【００２１】
本発明によれば、境界線に沿って地面を掘削し、クラッシャランを敷き詰めた後、基礎コンクリートを打設する。この際、基礎コンクリートに設定間隔をおいてアンカー鉄筋を植設する。このような基礎工を施工した後、基礎コンクリートに境界ブロックを順に配置し、隣接する境界ブロックの対向する凹部によって形成された空間にモルタルまたはコンクリートを充填し、各境界ブロックを相互に、かつ、アンカー鉄筋を介して基礎コンクリートに対して固定する。境界ブロックを固定したならば、各境界ブロックの表面部内面および裏面部内面によって区画された空間に客土を充填した後、客土に栽植を施す。
【００２２】
この結果、栽植を施した境界ブロックによる境界を湿式工法によって強固に形成することができる。また、各境界ブロックは、モルタルまたはコンクリートを介して相互に、かつ、基礎工に固定されているため、境界を長期にわたって維持することができる。
【００２３】
本発明において、前記隣接する境界ブロックの対向する凹部によって形成された空間に複数本の支柱が設定間隔をおいて立設されていると、境界ブロックに建て込まれた支柱を利用して境界線上にフェンスなどを設けることが可能となり、好ましい。
【００２４】
支柱を立設するには、隣接する境界ブロックの対向する凹部によって形成された空間にモルタルまたはコンクリートを充填するのに先立って、アンカー鉄筋の存在しない空間を適宜選択して支柱を差し込み、その後、凹部による空間にモルタルまたはコンクリートを充填すればよい。
【発明の効果】
【００２５】
本発明の境界ブロックによれば、境界線間際まで栽植を施して土地を有効に活用することができる。
【００２６】
また、境界ブロックを用いた境界構造によれば、境界ブロックを用いて乾式工法もしくは湿式工法にて境界を形成することができるとともに、形成された境界を長期にわたって維持することができる。
【発明を実施するための最良の形態】
【００２７】
以下、本発明の実施の形態を図面に基づいて説明する。
【００２８】
図１および図２には、本発明の境界ブロック１の一実施形態が示されている。
【００２９】
この境界ブロック１は、コンクリートによって成形され、同一の大きさの縦長板状の表面部２および裏面部３と、表面部２および裏面部３と一体に接合された接続部４からなり、表面部２および裏面部３の左右方向の幅寸法と、表面部２の外面および裏面部３の外面間の前後方向の奥行き寸法とがほぼ同一に設定されている。
【００３０】
表面部２の上端面および裏面部３の上端面は、いずれも湾曲面に形成されている他、それらの各上端部内面は、下方に向かって徐々に先窄まりとなるように傾斜面に形成されている。
【００３１】
接続部４には、左右端面に内方に向かって湾曲した凹部４ａが上下方向にわたって形成されるとともに、一方の端面から他方の端面にかけて左右方向に貫通するテーパー面形状の貫通穴４ｂが形成されている。また、接続部４の上面には、設定幅のガイド溝４ｃが左右方向に形成されている。
【００３２】
なお、接続部４は、側方より見て、前述した表面部２の上端部内面に形成された傾斜面および裏面部３の上端部内面に形成された傾斜面にそれぞれ連続し、その上面まで延びる前後対称な傾斜面を有している。
【００３３】
一方、境界線が設定角度をおいて交差するとき、例えば、直交するときに対応して、境界線に沿って配置された境界ブロック１間に配置されるコーナー用境界ブロック１１が用意されているとともに、境界線の始端部および終端部にそれぞれ配置されるエンド用境界ブロック１２が用意されている。
【００３４】
コーナー用境界ブロック１１は、図３に示すように、前述した境界ブロック１の右端面を左端面に対して設定角度傾斜する傾斜面に形成した左端ブロック１Ｌと、境界ブロック１の左端面を右端面に対して設定角度傾斜する傾斜面に形成した右端ブロック１Ｒと、境界ブロック１の左右端面を互いに設定角度傾斜する傾斜面に形成した中間ブロック１Ｃと、からなり、それぞれの表面部２の外面が直交するように配置された左端ブロック１Ｌおよび右端ブロック１Ｒの間に中間ブロック１Ｃを配置し、対向して突き合わされた傾斜端面同士を接着剤を介して一体に接合して形成されている。
【００３５】
なお、境界線が設定角度で交差する際、左端ブロック１Ｌおよび右端ブロック１Ｒの左右端面をそれぞれ境界線の交差角に対応する傾斜角に形成し、中間ブロック１Ｃを用いることなく左端ブロック１Ｌの傾斜端面および右端ブロック１Ｒの傾斜端面を直接突き合わせて接合し、隣接する境界ブロック１を接続するコーナー用境界ブロック１１に形成してもよい（図１２参照）。
【００３６】
また、エンド用境界ブロック１２は、図４に示すように、境界ブロック１の表面部２の一方端面および該表面部２の一方端面と対向する側の裏面部３の端面をそれぞれ内方に向かって先窄まりとなるように設定角度傾斜する傾斜面に形成する一方、これらの表面部２の傾斜端面および裏面部３の傾斜端面に対応する傾斜面を左右の端面に有する、境界ブロック１の表面部２および裏面部３に相当する縦長板材１２１を成形し、境界ブロック１の、表面部２の傾斜端面および裏面部３の傾斜端面に縦長板材１２１の左右の傾斜端面を接着剤を介して一体に接合して形成されている。
【００３７】
このように構成された境界ブロック１およびエンド用境界ブロック１２を利用して乾式工法で形成された境界を図５に示す。
【００３８】
以下、図５に示した境界を形成する施工要領について説明する。
【００３９】
まず、ベース板２２に設定間隔をおいて複数本のボルト２３を立設してなる敷板２１を用意する（図６参照）。ここで、敷板２１のボルト２３の間隔は、境界ブロック１の幅寸法の整数倍、例えば、２倍の間隔に設定され、その長さは、境界ブロック１の下端面から接続部４の上面を若干越えて先端が位置するように設定されている。
【００４０】
次いで、境界線およびその近傍の地面を設定深さ掘削した後、一定深さにわたってクラッシャラン３１（図５参照）を敷き詰めて整地する。次いで、クラッシャラン３１にサンドクッション３２（図５参照）を介して境界線に沿って複数枚の敷板２１を順に敷設する。この際、敷板２１のレベルを必要とするときには、プラスチック製のレベルプレート２４（図６参照）をクラッシャラン３１に配置し、敷板２１の不陸を調整する。
【００４１】
なお、サンドクッション３２に代えて、空練りモルタルを用いることもできる。
【００４２】
この後、境界線に沿うとともに、その始端部、例えば、右端部において、エンド用境界ブロック１２を配置する。そして、配置されたエンド用境界ブロック１の左端面に右端面を突き合わせて、境界ブロック１を境界線に沿って順に左方向に配置する。この際、敷板２１のボルト２３が、隣接する境界ブロック１の左右端面を突き合わせることで形成される接続部４の凹部４ａによる空間の略中心上に位置するように、境界ブロック１を配置する（図７参照）。
【００４３】
境界線に沿って境界ブロック１を配置したならば、境界ブロック１における接続部４の上面に形成されたガイド溝４ｃの幅に相当する幅を有し、敷板２１のボルト２３の間隔に合わせて取付穴（図示せず）が形成された長尺な連結レール２５を複数個の境界ブロック１の接続部４の上面にわたって配置する。そして、連結レール２５の取付穴を各境界ブロック１における接続部４の上面から突出している敷板２１のボルト２３に挿通させながら、連結レール２５を境界ブロック１における接続部４の上面に形成されたガイド溝４ｃに配設する。次いで、連結レール２５の取付穴から突出されたボルト２３の雄ねじにナット２６を締結することにより、敷板２１に対して境界ブロック１を固定する（図８参照）。
【００４４】
この際、直線状の連結レール２５に、境界ブロック１における接続部４の上面に形成されたガイド溝４ｃを沿わせることにより、境界ブロック１を境界線に沿って簡単に位置決めして配置することができる。
【００４５】
境界線に沿って境界ブロック１を配置して固定したならば、境界線の終端部にエンド用境界ブロック１２を接着剤を介して境界ブロック１に接合する。
【００４６】
境界ブロック１およびエンド用境界ブロック１２の固定が終了したならば、クラッシャラン３１を覆うように掘削した土砂を埋め戻した後、境界ブロック１の表面部２と裏面部３との間に客土３３を充填する。この際、客土３３が接続部４の貫通穴４ｂにも入り込むように、客土を転圧する。その後、充填された客土３３に栽植を施せばよい（図９参照）。
【００４７】
この結果、境界線に沿って境界ブロック１を配置して簡単に、かつ、短時間に境界を形成することができるとともに、境界線間際まで栽植を施すことができ、見栄えを損なうことがない。しかも、各境界ブロック１は、敷板２１に対してボルト２３、ナット２６を介して締結された連結プレート２５によって固定されているため、境界を長期にわたって維持することができる。
【００４８】
なお、境界ブロック１に栽植を施すとともに、フェンスなどを設ける場合は、例えば、図１０に示すように、ベース板２２に支柱３４を立設するためのパイプ２７を設定間隔をおいて設けた連結プレート２５を用いることにより、隣接する一対の境界ブロック１における接続部４の凹部４ａによって形成される空間のうち、設定間隔をおいた空間にパイプ２７を配置することができる。したがって、客土３３の充填に先立って各パイプ２７に支柱３４を差し込んでモルタルにて固定することにより、設定間隔をおいて立設された複数本の支柱３４を利用してフェンスなどを設けることも可能となる。
【００４９】
また、前述した実施形態においては、境界ブロック１を設置する境界線周囲の地面を掘削し、クラッシャラン３１を敷き詰めて敷板２１を敷設する場合を例示したが、例えば、歩道を区画して花壇を形成する場合などのように、歩道などの舗装面に敷板２１を直接敷設し、境界ブロック１を配置してもよい。
【００５０】
さらに、前述した実施形態においては、直線状の境界線に沿って境界ブロック１を用いて境界を乾式工法で形成する場合について説明したが、宅地などの全周にわたって連続するように境界ブロック１を配置してもよい。ここで、境界線が設定角度で交差する場合は、そのコーナーにコーナー用境界ブロック１１を用いればよい。
【００５１】
以下、境界ブロック１、コーナー用境界ブロック１１およびエンド用境界ブロック１２を用いて湿式工法で境界を形成する場合を図１１および図１２に基づいて説明する。
【００５２】
まず、境界線およびその近傍の地面を設定深さ掘削した後、一定深さにわたってクラッシャラン３１を敷き詰めた後、クラッシャラン３１に基礎コンクリート３５を打設して基礎工を施工する。この際、基礎コンクリート３５には、境界ブロック１の幅寸法の整数倍、例えば、２倍の間隔をおいてＬ字状のアンカー鉄筋３６の水平部分が埋設される。
【００５３】
この後、境界線に沿うとともに、その始端部、例えば、右端部において、基礎コンクリート３５に高さ調整モルタル３７を介してエンド用境界ブロック１２を配置する。そして、配置されたエンド用境界ブロック１２の左端面に右端面を突き合わせて、境界ブロック１を境界線に沿って順に左方向に配置する。この際、アンカー鉄筋３６の垂直部分が、隣接する境界ブロック１の左右端面を突き合わせることで形成される接続部４の凹部４ａによる空間の略中心上に位置するように、境界ブロック１を配置する。
【００５４】
ここで、境界線が設定角度で交差している場合は、コーナー用境界ブロック１１を用いればよい。
【００５５】
境界線に沿って境界ブロック１を配置したならば、隣接する境界ブロック１における接続部４の凹部４ａによる空間にモルタル３８を充填し、アンカー鉄筋３６の垂直部分を埋設する。この際、モルタル３８が接続部４の貫通穴４ｂにも入り込むように充填する。
【００５６】
なお、境界ブロック１にフェンスなどを設ける場合は、隣接する一対の境界ブロック１における接続部４の凹部４ａによって形成される空間のうち、アンカー鉄筋３６の存在しない空間に設定間隔をおいて支柱３４を差し込み、その後、モルタル３８を充填して支柱３４を固定すればよい。
【００５７】
また、境界ブロック１の強度をより高めるためには、モルタル３８の充填に先立って、アンカー鉄筋３６の垂直部分を図示しない横筋を介して連結すればよい。このように、アンカー鉄筋３６を横筋を介して相互に連結する場合は、アンカー鉄筋３６の、基礎コンクリート３５から突出する垂直部分の長さを、境界ブロック１の下端面から接続部４の上面を若干越えて先端が位置するように設定することが好ましい。そして、モルタル３８は、各境界ブロック１における接続部２の上面から突出されるアンカー鉄筋３６の上端部および接続部４の上面に配設される横筋を埋設するように、充填することが好ましい。
【００５８】
さらに、モルタル３８に代えて、コンクリートを用いることもできる。
【００５９】
次いで、高さ調整コンクリート３７を覆うように掘削した土砂を埋め戻した後、境界ブロック１の表面部２と裏面部３との間に客土３３を充填した後、充填された客土３３に栽植を施せばよい。
【００６０】
この結果、境界線に沿って境界ブロック１を正確に位置決めしつつ強固に設置することができるとともに、境界線間際まで栽植を施すことができる。
【００６１】
ところで、図１３および図１４には、他の実施形態の境界ブロック５が示されている。
【００６２】
この境界ブロック５は、前述した境界ブロック１の裏面部３に代えて、該裏面部３よりも高さが低く形成されるとともに、その上端面が平坦面に形成され、さらに、上端面の内端縁から接続部４における上面の裏面部側端縁にかけて傾斜面が形成された裏面部６を用いた以外境界ブロック１と相違しないため、その他の詳細な説明を省略する。
【００６３】
なお、この実施形態の境界ブロック５からなる左端ブロック５Ｌ、右端ブロック５Ｒおよび中間ブロック５Ｃを用いてコーナー用境界ブロックを形成する場合は、表面部２の外面が常に外面側に位置して配置されるため、左端ブロック５Ｌの表面部２の外面と右端ブロック５Ｒの表面部２の外面とが時計回り方向に２７０度で交差する場合のコーナー用境界ブロック１３（図１５参照）と、左端ブロック５Ｌの表面部２の外面と右端ブロック５Ｒの表面部２の外面とが時計回り方向に９０度で交差する場合のコーナー用境界ブロック１４（図１６参照）との２種類が用意される。
【００６４】
そして、境界ブロック５についても、先に説明した部材に同一の符号を付して図１７に示すように、乾式工法で施工して境界を形成することもできるし、先に説明した部材に同一の符号を付して図１８に示すように、湿式工法で施工して境界を形成することもできる。
【００６５】
境界ブロック５を用いて境界を形成した場合、各境界ブロック５の表面部２内面および裏面部６内面によって形成される空間に加えて、境界ブロック５の裏面部６外面によって区画された空間において、裏面部６の高さを越えて客土３３を充填することができる。このため、境界ブロック５の裏面部６を客土３３によって覆うことができ、境界ブロック５の露出を最小限に抑えることができるとともに、境界ブロック５の内方側も栽植を施して緑化することができる。したがって、例えば、歩道などに境界ブロック５を用いて島状の花壇などを簡単に形成することができる。
【図面の簡単な説明】
【００６６】
【図１】本発明の境界ブロックの一実施形態を示す正面図、側面図および平面図である。
【図２】図１の境界ブロックの斜視図である。
【図３】図１の境界ブロックとともに用いられるコーナー用境界ブロックの斜視図である。
【図４】図１の境界ブロックとともに用いられるエンド用境界ブロックを示す正面図、側面図および平面図である。
【図５】図１の境界ブロックを用いて乾式工法で施工された境界の一例を示す正面図、平面図および正面図のＸ−Ｘ線断面図である。
【図６】図１の境界ブロックを用いて乾式工法で境界を形成する際に使用される敷板の斜視図である。
【図７】図１の境界ブロックを用いて乾式工法で境界を形成する施工要領を示す説明図である。
【図８】図１の境界ブロックを用いて乾式工法で境界を形成する施工要領を示す説明図である。
【図９】図１の境界ブロックを用いて乾式工法で境界を形成する施工要領を示す説明図である。
【図１０】敷板の変形例を支柱とともに示す斜視図である。
【図１１】図１の境界ブロックを用いて湿式工法で施工された境界の一例を示す正面図、平面図および正面図のＹ−Ｙ線断面図である。
【図１２】図１の境界ブロックを用いて湿式工法で施工された境界の他例を示す正面図、平面図および正面図のＺ−Ｚ線断面図である。
【図１３】本発明の境界ブロックの他の実施形態を示す正面図、側面図および平面図である。
【図１４】図１３の境界ブロックの斜視図である。
【図１５】図１３の境界ブロックとともに用いられるコーナー用境界ブロックの斜視図である。
【図１６】図１３の境界ブロックとともに用いられるコーナー用境界ブロックの斜視図である。
【図１７】図１３の境界ブロックを用いて乾式工法で施工された境界の一例を示す正面図、平面図および正面図のＵ−Ｕ線断面図である。
【図１８】図１３の境界ブロックを用いて湿式工法で施工された境界の一例を示す正面図、平面図、正面図のＶ−Ｖ線断面図および正面図のＷ−Ｗ線断面図である。
【符号の説明】
【００６７】
１，５  境界ブロック
２  表面部
３，６  裏面部
４  接続部
４ａ  凹部
４ｂ  貫通穴
４ｃ  ガイド溝
１１，１３，１４  コーナー用境界ブロック
１Ｌ，５Ｌ  左端ブロック
１Ｒ，５Ｒ  右端ブロック
１Ｃ，５Ｃ  中間ブロック
１２  エンド用境界ブロック
２１  敷板
２２  ベース板
２３  ボルト
２５  連結プレート
２６  ナット
３１  クラッシャラン
３２  サンドクッション
３３  客土
３５  基礎コンクリート
３６  アンカー鉄筋
３８  モルタル
【図１】
2006166838.tif 000003
【図２】
2006166838.tif 000004
【図３】
2006166838.tif 000005
【図４】
2006166838.tif 000006
【図５】
2006166838.tif 000007
【図６】
2006166838.tif 000008
【図７】
2006166838.tif 000009
【図８】
2006166838.tif 000010
【図９】
2006166838.tif 000011
【図１０】
2006166838.tif 000012
【図１１】
2006166838.tif 000013
【図１２】
2006166838.tif 000014
【図１３】
2006166838.tif 000015
【図１４】
2006166838.tif 000016
【図１５】
2006166838.tif 000017
【図１６】
2006166838.tif 000018
【図１７】
2006166838.tif 000019
【図１８】
2006166838.tif 000020